(57)【要約】【課題】図柄の輪郭部分にも着色することができるとともに、塗り絵用紙のみで塗り分けを容易に行うことが可能な塗り絵を提供する。【解決手段】塗り絵用紙２の上面からなる第１の被着色面４と、第１の被着色面４より低く形成された第２の被着色面５とを有する。第１の被着色面４と第２の被着色面５とのうちいずれか一方が図柄の形状に形成され、他方が図柄を囲む形状に形成されている。【選択図】  図１
0003205908.tif 000002
【実用新案登録請求の範囲】
【請求項１】
塗り絵用紙の上面からなる第１の被着色面と、
前記第１の被着色面より低く形成された第２の被着色面とを有し、
前記第１の被着色面と前記第２の被着色面とのうち一方が図柄の形状に形成され、他方が図柄を囲む形状に形成されている塗り絵。
【請求項２】
請求項１記載の塗り絵において、
前記第２の被着色面の色は、前記第１の被着色面の色とは異なっていることを特徴とする塗り絵。
【請求項３】
請求項１または請求項２記載の塗り絵において、
前記塗り絵用紙は、レーザー加工機によって加工可能な材料によって形成されていることを特徴とする塗り絵。
【考案の詳細な説明】
【技術分野】
【０００１】
本考案は、塗り絵用紙に凹部が形成された塗り絵に関する。
【背景技術】
【０００２】
従来の塗り絵は、塗り絵用紙に図柄の輪郭や模様などをインク等で印刷して形成されている。このため、この種の塗り絵においては、輪郭等の印刷部分と隣接する空白部分のみに色を塗ることができる。着色は、色鉛筆や、クレヨン、絵の具などを用いて行われる。
【０００３】
塗り絵に色を塗るにあたっては、輪郭等の印刷部分を挟んで異なる色で塗り分けられることが多い。このような塗り分けを容易に行うことが可能な従来の塗り絵としては、例えば特許文献１に記載されたものがある。
特許文献１に開示された塗り絵は、図柄の輪郭となる線の上に透明な樹脂を隆起状態に付着させたものである。この塗り絵においては、透明な樹脂によって囲まれた部分の内側を絵の具で簡単に塗ることができる。
【先行技術文献】
【特許文献】
【０００４】
【特許文献１】実用新案登録第３０３７３２６号公報
【考案の概要】
【考案が解決しようとする課題】
【０００５】
従来の塗り絵は、図柄の輪郭部分や模様となる部分が印刷されているから、これらの部分に色を付けることはできず、充分に着色して楽しむことができないという問題があった。また、特許文献１に記載された塗り絵では、透明な樹脂が塗り絵用紙から突出するから、この透明な樹脂によって美観が損なわれてしまう。
【０００６】
本考案はこのような問題を解消するためになされたもので、図柄の輪郭部分にも着色することができるとともに、塗り絵用紙のみで塗り分けを容易に行うことが可能な塗り絵を提供することを目的とする。
【課題を解決するための手段】
【０００７】
この目的を達成するために、本考案に係る塗り絵は、塗り絵用紙の上面からなる第１の被着色面と、前記第１の被着色面より低く形成された第２の被着色面とを有し、前記第１の被着色面と前記第２の被着色面とのうち一方が図柄の形状に形成され、他方が図柄を囲む形状に形成されているものである。
【０００８】
本考案は、前記塗り絵において、前記第２の被着色面の色は、前記第１の被着色面の色とは異なっていてもよい。
【０００９】
本考案は、前記塗り絵において、前記塗り絵用紙は、レーザー加工機によって加工可能な材料によって形成されていてもよい。
【考案の効果】
【００１０】
本考案によれば、図柄となる部分と、図柄を囲む部分とに高低差が生じるから、図柄を囲む輪郭部分が無着色であったとしても、これを空白部分と容易に区別することができる。輪郭部分は、第１の被着色面または第２の被着色面によって形成されているから、色を塗ることが可能である。
また、図柄となる部分と図柄を囲む部分とのうち一方は、塗り絵用紙の上面より低い第２の被着色面になる。このため、図柄となる部分と、図柄を囲む部分とを容易に塗り分けることができる。
したがって、本考案によれば、図柄を囲む部分（輪郭部分）にも着色することができるとともに、塗り絵用紙のみで塗り分けを容易に行うことが可能な塗り絵を提供することができる。
【図面の簡単な説明】
【００１１】
【図１】第１の実施の形態による塗り絵の斜視図である。
【図２】要部を拡大して示す斜視図である。
【図３】図１におけるIII-III線断面図である。
【図４】第２の実施の形態による塗り絵の斜視図である。
【考案を実施するための形態】
【００１２】
＜第１の実施の形態＞
以下、本考案に係る塗り絵の一実施の形態を図１〜図３によって詳細に説明する。
図１に示す塗り絵１は、塗り絵用紙２と、この塗り絵用紙２に形成された凹溝３とによって構成されており、後述する２種類の着色面を有している。
塗り絵用紙２は、所定の厚みを有する紙によって形成されている。
【００１３】
上述した着色面とは、塗り絵用紙２の上面からなる第１の被着色面４と、凹溝３の底面からなる第２の被着色面５である。第２の被着色面５は、図３に示すように、第１の被着色面４より低く、かつ平坦に形成されている。第２の被着色面５は、第１の被着色面４と平行あるいは略平行になるように形成されている。
【００１４】
凹溝３は、平面視において、図柄を囲む形状、すなわち図柄の輪郭となる形状に形成されている。図１に示す塗り絵用紙２には、星形の第１の図柄Ａと、この第１の図柄Ａから横に延びる第２〜第４の図柄Ｂ〜Ｄとが形成されている。第１〜第４の図柄Ａ〜Ｄは、それぞれ第１の被着色面４によって形成されている。
【００１５】
この実施の形態による凹溝３は、塗り絵用紙２の上面の一部を所定の形状に除去することによって形成されている。この凹溝３を形成する加工は、レーザー加工機６（図３参照）によって行われる。すなわち、レーザー加工機６で塗り絵用紙２の上面にいわゆるハーフカット加工を施すことによって、凹溝３が形成されている。
【００１６】
このため、塗り絵用紙２を形成する材料は、レーザー加工機６でハーフカット加工を施すことが可能な材料であれば、どのようなものでも使用することができる。また、塗り絵用紙２の厚みや第２の被着色面５の深さも適宜変更可能である。なお、図１は、凹溝３を分かり易く表現するために、塗り絵用紙２の厚みを実際より厚くして描いてある。
【００１７】
第１の被着色面４および第２の被着色面５は着色されておらず、塗り絵用紙２の色である。しかし、第２の被着色面５は、図２に示すように、ハーフカット加工に起因して第１の被着色面４とは異なる色に変色している。図２は、第１の被着色面４と第２の被着色面５の表面の色を識別できるように点描を施して描いてある。
【００１８】
この実施の形態による塗り絵１においては、図柄の輪郭部分である第２の被着色面５と、この輪郭部分と隣り合う図柄の空白部分である第１の被着色面４とに高低差が生じるから、図柄の輪郭部分が無着色であってもこれを空白部分と容易に区別することができる。
図柄の輪郭部分は、第２の被着色面５によって形成されているから、色を塗ることが可能である。このため、この実施の形態によれば、従来より完成度と自由度が高い塗り絵を提供することができる。
【００１９】
また、第２の被着色面５は、第１の被着色面４より低く形成されているから、図柄の輪郭部分と図柄となる空白部分とを容易に塗り分けることができる。詳述すると、第２の被着色面５を塗る場合は、凹溝３の溝壁を色鉛筆やクレヨン、あるいは筆などの着色具のガイドとすることができるから、簡単に塗り分けることが可能である。
したがって、この実施の形態によれば、図柄の輪郭部分にも着色することができるとともに、塗り絵用紙のみで塗り分けを容易に行うことが可能な塗り絵を提供することができる。
【００２０】
この実施の形態による第２の被着色面５の色は、第１の被着色面４の色とは異なっている。このため、図柄の輪郭部分と空白部分とに高低差があることと相俟って、これらをより一層簡単に区別することが可能になる。したがって、この実施の形態によれば、複雑な図柄であっても着色が容易な塗り絵を提供できる。
【００２１】
この実施の形態による塗り絵用紙２は、レーザー加工機６によって加工可能な材料によって形成されている。このため、第２の被着色面５をレーザー加工機６によって形成することができるから、図柄を精巧に形成することができ、塗り応えがある塗り絵を提供できる。
【００２２】
＜第２の実施の形態＞
上述した実施の形態においては第２の被着色面が図柄の輪郭部分となる例を示した。しかし、第２の被着色面は、図４に示すように、図柄や模様となるように形成することができる。図４において、図１〜図３によって説明したものと同一もしくは同等の部材については、同一符号を付し詳細な説明を適宜省略する。
【００２３】
図４に示す第２の被着色面５は、図柄や模様となる形状に形成された凹部１１の底面である。この図４に示す図柄は、植物の葉や茎などを模した図柄である。この第２の被着色面５は、平面視において、第１の被着色面４によって囲まれている。すなわち、この実施の形態においては、第１の被着色面４が図柄を囲む形状に形成されている。
この構成を採る場合であっても、第１の実施の形態を採るときと同等の効果が得られる。
【符号の説明】
【００２４】
１…塗り絵、２…塗り絵用紙、３…凹溝、４…第１の被着色面、５…第２の被着色面、６…レーザー加工機、１１…凹部、Ａ〜Ｄ…第１〜第４の図柄。
【図１】
0003205908.tif 000003
【図２】
0003205908.tif 000004
【図３】
0003205908.tif 000005
【図４】
0003205908.tif 000006